(57)【特許請求の範囲】
【請求項１】
グリップの一端にマッサージ用施療子を備えたヘッド部を連結しているマッサージ器において、グリップと略同長でグリップに重ねられているとともにヘッド部に対してグリップと略対称位置に展開させることができるサブグリップを備え、上記グリップ及びサブグリップは円弧状であり、サブグリップはグリップに対してスライド自在に設けられていることを特徴とするマッサージ器
【請求項２】
グリップから引き出したサブグリップの抜け止め用のロックレバーと、ロックレバーによる抜け止めの解除手段とを備えていることを特徴とする請求項１記載のマッサージ器。
【請求項３】
サブグリップは弾力性を有するアームと、アーム一端に設けられたグリップ部とからなることを特徴とする請求項１記載のマッサージ器。
【請求項４】
アームは断面形状が偏平となっていることを特徴とする請求項３記載のマッサージ器。
【請求項５】
グリップに重ねられたサブグリップのグリップ部はヘッド部に重ねられていることを特徴とする請求項３記載のマッサージ器。
【請求項６】
ヘッド部をグリップの長手方向に移動可能としていることを特徴とする請求項１記載のマッサージ器。
【請求項７】
グリップの一端にマッサージ用施療子を備えたヘッド部を連結しているマッサージ器において、グリップと略同長でグリップに重ねられているとともにヘッド部に対してグリップと略対称位置に展開させることができるサブグリップを備え、上記サブグリップはグリップに対して左右に重ねられているとともに、ヘッド部への連結軸の軸回りに回転自在とされていることを特徴とするマッサージ器。
【請求項８】
グリップの一端にマッサージ用施療子を備えたヘッド部を連結しているマッサージ器において、グリップと略同長でグリップに重ねられているとともにヘッド部に対してグリップと略対称位置に展開させることができるサブグリップを備え、上記サブグリップはヘッド部に対して反転且つひねり自在に連結されていることを特徴とするマッサージ器。
【請求項９】
グリップの一端にマッサージ用施療子を備えたヘッド部を連結しているマッサージ器において、グリップと略同長でグリップに重ねられているとともにヘッド部に対してグリップと略対称位置に展開させることができるサブグリップを備え、上記サブグリップは一方向への撓み量が制限された弾性を有するアームを備えてこのアーム先端がヘッド部に反転自在に連結されていることを特徴とするマッサージ器。
【発明の詳細な説明】
【０００１】
【産業上の利用分野】
本発明は肩や腰、背中等のマッサージの際に使用される手持ち式のマッサージ器に関するものである。
【０００２】
【従来の技術】
この種のマッサージ器として、棒状のグリップの先端に、ソレノイド等の駆動手段によって駆動されるたたき玉を配したものがある。このタイプのマッサージ器では、片手でグリップを握り、施療子であるたたき玉を患部に当てた状態で駆動手段を作動させるのであるが、片手で保持するだけであるために、たたき玉の動作の反動でたたき玉が患部からずれやすく、また肩こりなどで強いマッサージを得たいと思っても、駆動手段やたたき玉の自重でほぼ定まる強さ以上のマッサージは得ることが困難である。
【０００３】
このために、駆動手段及びたたき玉を備えたヘッド部に折り畳み式のサブグリップを設けたものや、サブグリップを着脱自在としたものが提案されている。
【０００４】
【発明が解決しようとする課題】
この場合、サブグリップを他方の手で握ることによって、たたき玉を患部に確実に当てた状態におくことができる。しかし、従来の折り畳み式サブグリップをヘッド部に設けたものでは、サブグリップの長さがグリップに比してかなり短いために、サブグリップを有効に使うことができなかった。サブグリップを着脱自在としたものでは、グリップと略同長のサブグリップを用いていたことから、サブグリップを有効に利用してマッサージを受けることができるが、片手で使用する時のために取り外したサブグリップの置き場に困るものであり、時として紛失してしまうこともある。
【０００５】
本発明はこのような点に鑑み為されたものであり、その目的とするところはサブグリップを使用した両手での使用による効果的なマッサージを容易に得ることができる上に、片手での使用に際してもサブグリップが邪魔になることもないマッサージ器を提供するにある。
【０００６】
【課題を解決するための手段】
しかして本発明は、グリップの一端にマッサージ用施療子を備えたヘッド部を連結しているマッサージ器において、グリップと略同長でグリップに重ねられているとともにヘッド部に対してグリップと略対称位置に展開させることができるサブグリップを備え、上記グリップ及びサブグリップは円弧状であり、サブグリップはグリップに対してスライド自在に設けられていることに第１の特徴を有し、グリップと略同長でグリップに重ねられているとともにヘッド部に対してグリップと略対称位置に展開させることができるサブグリップを備え、上記サブグリップはグリップに対して左右に重ねられているとともに、ヘッド部への連結軸の軸回りに回転自在とされていることに第２の特徴を有し、グリップと略同長でグリップに重ねられているとともにヘッド部に対してグリップと略対称位置に展開させることができるサブグリップを備え、上記サブグリップはヘッド部に対して反転且つひねり自在に連結されていることに第３の特徴を有し、更にグリップと略同長でグリップに重ねられているとともにヘッド部に対してグリップと略対称位置に展開させることができるサブグリップを備え、上記サブグリップは一方向への撓み量が制限された弾性を有するアームを備えてこのアーム先端がヘッド部に反転自在に連結されていることに第４の特徴を有している。
【０００７】
【作用】
本発明によれば、グリップに重ねられたサブグリップを展開させた時、グリップと略同長のサブグリップがグリップと略対称の位置にくるために、片手でグリップを、他方の手でサブグリップを握ってヘッド部の施療子を患部に当てることを容易に且つ確実に行うことができる。
【０００９】
【実施例】
以下本発明を図示の実施例に基づいて詳述すると、図１〜図４はスライド式のサブグリップ３を備えた一実施例を示すもので、このマッサージ器における棒状のグリップ１は円弧状に形成されており、実際に握る場所であるグリップ部１０が位置する一端からは電源コード９が引き出され、他端には連結ばね１１を介してヘッド部２が連結されている。また、左右二つ割りで形成されている上記グリップ１は、図２に示すように、オンオフ用のスイッチ１２や施療子の動作速度設定用のボリューム１３、動作制御回路等を内蔵している。図中１４はスイッチ１２用のスイッチレバー、１５はボリューム１３用のつまみである。
【００１０】
グリップ１の先端に連結ばね１１を介して連結されたヘッド部２は、図３に示すように、二つ割りとなっているハウジング２０内に２つのソレノイド２１，２１を配置するとともに、これらソレノイド２１，２１の各プランジャー２２，２２の先端に、ヘッド部２の下方に突出することになるたたき玉２３，２３を取着したもので、図示例におけるたたき玉２３は、プランジャー２２にホルダー２４を介して固着されたポイントマッサージ用のアタッチメント２３ａと、このアタッチメント２３ａに着脱自在とされたフィンガーマッサージ用のアタッチメント２３ｂの２種で構成されている。図中２５は復帰ばねである。
【００１１】
そして、円弧状のグリップ１の背面とヘッド部２の上面とには、サブグリップ３の収納とスライドガイドのための溝１６，２６が設けられている。これら溝１６，２６は、グリップ１の下端側であるグリップ部１０側の部分を除き、その幅よりも狭い幅のスリットで背面や上方に開口しているとともに、溝１６，２６の底壁によって、ボリューム１３の収納部やソレノイド２１，２１の収納部とは区画されている。
【００１２】
一方、サブグリップ３は略１／４円弧状のアーム３１と、アーム３１先端にビス止めで固着したグリップ部３０とからなるもので、ポリエステル系熱可塑性エラストマーのような弾力性を有するとともに復元性に富んだ材質からなるアーム３１は、図４(b)に示すように、下面側に溝３２を、上面側に突条３３を備えた偏平な断面形状のものとされており、さらに両側縁の上下には夫々小さいなリブ３４を備えたものとなっている。また、グリップ部３０が取り付けられる側の端部では、図４(a)に示すように、突条３３から更にリブ３５が突設されて、このリブ３５によってグリップ部３０がアーム３１から浮かされた状態で固定されている。なお、アーム３１の他方の端部ではグリップ１における溝１６のスリットのない部分に収納される関係で突条３３が設けられていない。
【００１３】
しかして、このサブグリップ３は、グリップ１とヘッド部２とにまたがる形で溝１６，２６に差し込まれ、サブグリップ３がグリップ１に収納された状態では、サブグリップ３におけるグリップ部３０が図１(a)に示すようにヘッド部２の上に位置し、この時、図４(c)に示すように、ヘッド部２に設けられたばね４０で付勢されているロックカム４１が、サブグリップ３のアーム３１に設けられた凸部３６と係合して、サブグリップ３の収納状態が保持されている。また、サブグリップ３のアーム３１の突条３３が溝１６のスリットに位置するとともに、リブ３４が溝１６の内面に接してサブグリップ３のがたつきを防ぐ。
【００１４】
そして、ヘッド部２の溝２６に差し込まれたアーム３１一端上のヘッド部２上に重なっているグリップ部３０を持ってサブグリップ３を引き出したならば、サブグリップ３のアーム３１は、グリップ１の溝１６から完全に出てしまい、ヘッド部２の溝２６内において、ヘッド部２に設けられたロックレバー４３がサブグリップ３のアーム３１の溝３２の端部であるストッパー３８に当接することと、上記ロックカム４１がアーム３１に設けられた凸部３７と係合することによってヘッド部２に固定されるとともにこの状態が保持されるものであり、この時、サブグリップ３は図１(b)に示すようにヘッド部２に対してグリップ１と略対称形となり、略半円を描くグリップ１とサブグリップ３との各グリップ部１０，３０は、ヘッド部２を間にして略対称位置にくる。従って、グリップ１のグリップ部１０を片手で持ち、引き出したサブグリップ３のグリップ部３０を他方の手で持つことによって、両者の中間に位置しているヘッド部２のたたき玉２３をマッサージさせたい肩や背中、あるいは腰の患部に確実に当てておくことができるものである。
【００１５】
また、図示例におけるヘッド部２は、２つのソレノイド２１，２１で夫々往復駆動される２つのたたき玉２３，２３を有していることから、背中のマッサージを行う場合、背骨の両側を対称にマッサージすることができるものであり、この時、グリップ１とサブグリップ３とを備えるために、このマッサージ状態を確実に保つことができる。
【００１６】
なお、サブグリップ３は上述のように偏平に形成されているために、図１(b)において、Ｘ方向には撓み得るものの、Ｙ方向には撓みにくくなっている。サブグリップ３をグリップ１側に戻すには、単に押し戻すだけでよい。グリップ１にサブグリップ３を重ねた状態でも使用することができるのはもちろんである。また、サブグリップ３を引き出した状態の時にヘッド部２の溝２６内に露出する孔２８を通じてピン状のものでロックレバー４３を押すことによって、ロックレバー４３をストッパー３８から外すことで、ヘッド部２の分解等を必要とすることなくサブグリップ３を抜き取ることもできる。
【００１７】
他の実施例を図５に示す。これはグリップ１の左右に重なっているサブグリップ３を、その先端とヘッド部２とを連結している上下方向の軸５を中心に半回転させることによって、グリップ１と対称な位置にサブグリップ３を位置させることができるようにしたものであり、図中３９はサブグリップ３に設けられた連結ばね部である。
【００１８】
軸５の軸回りのサブグリップ３の回転でグリップ１と重なる位置から対称となる位置へサブグリップ３を展開させるものにおいて、軸５の部分にクリック機構を設けて、グリップ１と重なる位置から対称となる位置までの半回転の間の複数位置において位置決めを行えるようにしておけば、更に多様な使い方が可能となって好ましい。
【００１９】
図８に示すものは、上記図７に示した実施例におけるヘッド部２のグリップ１及びサブグリップ３との連結部を、その軸回りに９０°回転させた状態に固定することもできるようにしたものを示しており、この場合、グリップ１とサブグリップ３を床面上に置いた時にヘッド部２を上向きとすることができるために、寝転んだ状態で背中のマッサージを行うことができる。
【００２０】
図６及び図７に示すように、グリップ１上に重ねることができるサブグリップ３の先端に球状部５０を設けて、この球状部５０をヘッド部２の上面側に設けたスリット付きの玉受け５１で保持することにより、サブグリップ３を水平軸まわりに回動自在且つひねり自在とすることによって、サブグリップ３の反転及び半ひねりでグリップ１の対称位置にサブグリップ３を移すことができるようにしたり、図８に示すように、弾性を有するアーム３１の片面に多数の溝５３を設けることで一方向への撓み量を制限しているサブグリップ３をグリップ１の上面側から軸５を中心に水平軸回りに反転させることによって、グリップ１の対称位置に移すようにしてもよい。
【００２１】
図９に示す実施例は、グリップ１に対してサブグリップ３をスライド自在とするとともに、グリップ１へのヘッド部２の取り付けもグリップ１に対してスライド自在とすることによって、グリップ１及びサブグリップ３に対するヘッド部２の位置をグリップ１及びサブグリップ３の長手方向に調整することができるようにしたものを示している。この場合、より広範囲な患部に適切にたたき玉２３を当接させることができる。図中５５はグリップ１に対してヘッド部２を所定位置に止めておくためのロックピンである。
【００２２】
また図１０及び図１１に示す実施例は、グリップ１先端に連結されているヘッド部２ａに対してヘッド部２ｂをスライド自在とすることで、ヘッド部２ａのたたき玉２３とヘッド部２ｂのたたき玉２３との間隔を調整可能としたもので、患部の状態や好みに併せてたたき玉２３，２３の間隔を設定することができる。図中６０はヘッド部２ａにおけるヘッド部２ｂ用のスライドガイドリブ、６１はヘッド部２ａ側に設けられた複数個のクリック凹部６２にばね付勢されて係合するクリック用ボールである。
【００２３】
図１２は、たたき玉２３の速度の変更用であるボリューム１３のつまみ１５を、グリップ１の端部にグリップ１の軸回りに回転自在となるようにして設けたものを示しており、この場合、つまみ１５の操作をつまみ１５の位置を見なくとも行うことができるために、速度変更のための操作性がよくなる。
【００２４】
【発明の効果】
以上のように本発明においては、グリップと略同長でグリップに重ねられているとともにヘッド部に対してグリップと略対称位置に展開させることができるサブグリップを備えており、グリップに重ねられたサブグリップを展開させた時、グリップと略同長のサブグリップがグリップと略対称の位置にくるために、片手でグリップを、他方の手でサブグリップを握ってヘッド部のたたき玉を患部に当てることを容易に且つ確実に行うことができるものであって、効果的なマッサージを得られるものであり、また片手で使用したい時にはサブグリップをグリップに重ねておくことでサブグリップが邪魔になることもないものである。
【図面の簡単な説明】
【図１】一実施例を示すもので、(a)はサブグリップ収納時の斜視図、(b)はサブグリップ展開時の斜視図である。
【図２】同上の破断側面図である。
【図３】同上のヘッド部の拡大縦断面図である。
【図４】(a)は図３中のＡ−Ａ線断面図、(b)は図３中のＢ−Ｂ線断面図、(c)は図３中のＣ部の拡大図である。
【図５】他の実施例を示すもので、(a)はサブグリップ収納時の斜視図、(b)はサブグリップ展開時の斜視図である。
【図６】別の実施例を示すもので、(a)はサブグリップ収納時の斜視図、(b)はサブグリップ展開途中の斜視図、(c)は展開後の斜視図である。
【図７】同上のサブグリップとヘッド部との連結部を示すもので、(a)は平面図、(b)は破断側面図である。
【図８】更に別の実施例を示すもので、(a)はサブグリップ収納時の斜視図、(b)はサブグリップ展開途中の斜視図、(c)は展開後の斜視図である。
【図９】他の実施例を示すもので、(a)は側面図、(b)は横断面図である。
【図１０】別の実施例の部分側面図である。
【図１１】同上の横断面図である。
【図１２】他の実施例のグリップ一端の断面図である。
【符号の説明】
１ グリップ
２ ヘッド部
３ サブグリップ
【図１】
0003543344.tif 000002
【図２】
0003543344.tif 000003
【図３】
0003543344.tif 000004
【図４】
0003543344.tif 000005
【図５】
0003543344.tif 000006
【図６】
0003543344.tif 000007
【図７】
0003543344.tif 000008
【図８】
0003543344.tif 000009
【図９】
0003543344.tif 000010
【図１０】
0003543344.tif 000011
【図１１】
0003543344.tif 000012
【図１２】
0003543344.tif 000013